(57)【要約】【課題】画像読取装置で読み取った画像データやダウンロードしたコンテンツ等の画像データを表示するときに、特定画像の数が増えても利用者の要求する画像を広い領域で表示でき、特定画像提供側と利用者の双方にとって都合のよい画像表示システムを提供する。【解決手段】原稿を読み取って第１画像データとして出力する画像読取部と、前記第１画像データに、複数の特定画像データあるいは当該特定画像データの所在位置と、前記特定画像データの個々の画像データの表示時間および表示順を含む表示情報データを伴わせて出力するデータ出力部とを有する画像読取装置と、前記第１画像データの表示に際して、前記特定画像データの表示情報データに基づいて前記特定画像データを表示する画像表示部とを有する表示装置と、を備えている。【選択図】図７
2011082761.tif 000002
【特許請求の範囲】
【請求項１】
原稿を読み取って第１画像データとして出力する画像読取部と、
前記第１画像データに、複数の特定画像データあるいは当該特定画像データの所在位置と、前記特定画像データの個々の画像データの表示時間および表示順を含む表示情報データを伴わせて出力するデータ出力部と、
を有する画像読取装置と、
前記第１画像データの表示に際して、前記特定画像データの表示情報データに基づいて前記特定画像データを表示する画像表示部
を有する表示装置と、
を備えることを特徴とする画像表示システム。
【請求項２】
表示装置に表示する第１画像データに、複数の特定画像データあるいは当該特定画像データの所在位置と、前記特定画像データの個々の画像データの表示時間および表示順を含む表示情報データを伴わせて出力するデータ出力部
を有する出力装置と、
前記出力装置から出力された前記第１画像データの表示に際して、前記特定画像データの前記表示情報データに基づいて、前記特定画像データを表示する画像表示部
を有する表示装置と、
を備えることを特徴とする画像表示システム。
【請求項３】
前記表示装置の画像表示部は、前記第１画像データと前記特定画像データのそれぞれの表示領域を設定し、
前記第１画像データを前記第１画像データ表示領域に表示し、
前記特定画像データを前記特定画像データ表示領域に表示する
ことを特徴とする請求項１または２に記載の画像表示システム。
【請求項４】
前記表示装置の画像表示部は、前記特定画像データを表示した後に、前記第１画像データを表示する
ことを特徴とする請求項１または２に記載の画像表示システム。
【請求項５】
原稿を読み取って原稿画像データとして出力する画像読取部と、
前記原稿画像データに、複数の特定画像データあるいは該特定画像データの所在位置と、前記特定画像データの個々の画像データの表示時間および表示順を含む表示情報データ伴わせて出力するデータ出力部と、
を備えることを特徴とする画像処理装置。
【請求項６】
第１画像データを出力するときに、複数の特定画像データあるいは当該特定画像データの所在位置と、前記特定画像データの個々の画像データの表示時間および表示順を含む表示情報データを伴わせて出力するデータ出力部
を備えることを特徴とする出力装置。
【請求項７】
複数の特定画像データあるいは該特定画像データの所在位置と、前記特定画像データの個々の画像データの表示時間および表示順を含む表示情報データを伴った第１画像データの表示に際して、前記特定画像データの前記表示情報データに基づいて、前記特定画像データを表示する画像表示部
を備えることを特徴とする表示装置。
【請求項８】
表示装置に表示する第１画像データに、複数の特定画像データあるいは当該特定画像データの所在位置と、前記特定画像データの個々の画像データの表示時間および表示順を含む表示情報データを伴わせて出力するデータ出力ステップと、
前記第１画像データの表示に際して、前記特定画像データの前記表示情報データに基づいて、前記特定画像データを表示する画像表示ステップと、
を備えることを特徴とする画像表示方法。
【発明の詳細な説明】
【技術分野】
【０００１】
本発明は、画像情報に特定画像情報（広告画像等）を関連付けて表示する画像表示システムに関する。
【背景技術】
【０００２】
従来から、コンビニエンスストアや公共利用施設などのオープンスペースで印刷サービスを提供するために画像形成装置が設置されている。この画像形成装置では、一般的にコピー枚数に応じた課金を行うが、広告情報を付加して料金の一部を差し引くことで、より安価な画像出力サービスを提供している。
このように、広告情報を付加した場合のコピー料金と広告情報を付加しない場合のコピー料金とを異なるものとし、利用者と広告情報提供者との双方の便宜を図っている。
【０００３】
特許文献１では、画像が記録される記録材上における広告画像の数を利用者が設定することができ、この設定された広告画像の数により占有される広告画像の領域に応じて利用料金を確定するので、利用者は原稿に応じて、利用料金と広告画像の価値を考慮し、利用者自身が自らの意志で最適と思われる広告画像の占有領域を決定することができる。
【先行技術文献】
【特許文献】
【０００４】
【特許文献１】特許第３５７１２１７号明細書
【発明の概要】
【発明が解決しようとする課題】
【０００５】
しかしながら、特許文献１では、１枚の印刷用紙に利用者の原稿画像を印刷するときに、広告情報が増えれば、利用者の原稿画像を印刷する領域が小さくなってしまう。また、利用者の原稿画像を印刷する領域を大きくするためには、広告情報の数や情報量も限られたものとなってしまう。
【０００６】
本発明は、上述の実情を考慮してなされたものであって、画像読取装置で読み取った画像データやダウンロードしたコンテンツ等の画像データを表示するときに、広告等の特定画像の数が増えても利用者の要求する画像を広い領域で表示でき、特定画像提供側と利用者の双方にとって都合のよい画像表示システムを提供することを目的とする。
【課題を解決するための手段】
【０００７】
上述の課題を解決するために、本発明の画像表示システムは、原稿を読み取って第１画像データとして出力する画像読取部と、前記第１画像データに、複数の特定画像データあるいは当該特定画像データの所在位置と、前記特定画像データの個々の画像データの表示時間および表示順を含む表示情報データを伴わせて出力するデータ出力部と、を有する画像読取装置と、
前記第１画像データの表示に際して、前記特定画像データの前記表示情報データに基づいて、前記特定画像データを表示する画像表示部と、を有する表示装置と、
を備えている。
【０００８】
また、表示装置に表示する第１画像データに、複数の特定画像データあるいは当該特定画像データの所在位置と、前記特定画像データの個々の画像データの表示時間および表示順を含む表示情報データを伴わせて出力するデータ出力部を有する出力装置と、
前記出力装置から出力された前記第１画像データの表示に際して、前記特定画像データの前記表示情報データに基づいて、前記特定画像データを表示する画像表示部
を有する表示装置と、
を備えている。
【０００９】
前記表示装置の画像表示部は、第１画像データと特定画像データのそれぞれの表示領域を設定し、前記第１画像データを前記第１画像データ表示領域に表示し、前記特定画像データを前記特定画像データ表示領域に表示する。
または、前記表示装置の画像表示部は、前記特定画像データを表示した後に、前記第１画像データを表示する。
【００１０】
また、本発明の画像処理方法は、表示装置に表示する第１画像データに、複数の特定画像データあるいは当該特定画像データの所在位置と、前記特定画像データの個々の画像データの表示時間および表示順を含む表示情報データを伴わせて出力するデータ出力ステップと、
前記第１画像データの表示に際して、前記特定画像データの前記表示情報データに基づいて、前記特定画像データを表示する画像表示ステップと
、を備えている。
【００１１】
また、上述した画像読取装置、出力装置、画像処理装置や表示装置の各処理部（画像読取部、データ出力部、画像表示部等）として、コンピュータを機能させるための画像処理プログラムを作成しておき、または、この画像処理プログラムをコンピュータ読み取り可能な記録媒体に記録しておき、この画像処理プログラムをコンピュータで実行することによっても上記課題を解決することができる。
【発明の効果】
【００１２】
本発明によれば、広告等の特定画像を切り替えて表示することにより、画像読取装置で読み取った画像データやダウンロードしたコンテンツ等の画像データの表示領域を小さくすることなく広告等の特定画像を利用者に提供できる。
また、低価格或いは無料で画像読取装置で読み取った画像データやダウンロードしたコンテンツ等の画像データを表示できるので利用者の低価格利用と、特定画像の提供側における宣伝効率の向上とにより、利用者と特定画像提供者との双方の便宜を図ることができる。
【図面の簡単な説明】
【００１３】
【図１】保存条件を選択するための画面である。
【図２】利用料金を選択するための画面である。
【図３】原稿読取開始を促進するための画面である。
【図４】料金払い込みのための画面である。
【図５】原稿画像および特定画像を表示する第一の表示方法を説明する図である。
【図６】原稿画像および特定画像を表示する第二の表示方法を説明する図である。
【図７】実施形態の画像読取装置の機能構成を示すブロック図である。
【図８】実施形態の画像読取装置の処理手順を示すフローチャートである。
【図９】実施形態の表示装置の機能構成を示すブロック図である。
【発明を実施するための形態】
【００１４】
以下、図面を参照して、本発明の実施形態について説明する。
【００１５】
本発明は、画像読取装置で読み取った原稿画像データと、保存条件に応じた利用者の料金とその料金に見合った数の特定画像データを合成したデータを外部メモリ等に出力し、この外部メモリ等に出力されたデータ内の原稿画像データを表示するときに、特定画像の表示を所定の時間で切り替えて表示するものである。この特定画像とは、画像提供側にとっても、また、利用者にとっても、広告などの付加価値を有する画像である。
このように、特定画像を切り替えて表示するので、利用者の原稿画像を小さくしなくとも表示できる。
【００１６】
まず、図１乃至図６を用いて、利用者がコンビニエンスストア等に備えられた画像読取装置を使って、２０枚のＡ４サイズのカラー原稿画像を読み取り、ＵＳＢメモリへ記録し、ＵＳＢメモリから読み取った原稿画像と特定画像を表示する場合を例にして、本発明の実施形態の動作について概説する。このようなサービスを画像読取サービス機能とよぶ。
【００１７】
利用者は、画像読取装置の操作画面を使って画像読取サービス機能を選択すると、図１に示したような保存条件を選択する画面が表示される。
図１は、保存解像度と保存された画像データの印刷希望があるか否かを選択する画面である。選択は、選択したい値を表示している領域を押圧することによって行われ、選択された領域が反転して表示される。
例えば、読み取った原稿画像を保存解像度６００ｄｐｉでＵＳＢメモリに出力し、閲覧後に印刷したいときには、領域５１１ｃを押圧し、領域５１２ａを押圧する。これにより押圧されたそれぞれの領域が反転表示される。
【００１８】
ここで、選択が間違っていた場合には、領域５１４を押圧すると先に選択した保存解像度と印刷の可否が無効となる。
一方、選択が正しい場合には、領域５１３を押圧することによって選択が確定し、図２に示した利用料金の選択画面が表示される。
【００１９】
図２には、図１で選択した保存条件が確認のため領域５１５に表示され、さらに、Ａ４原稿の画像読取サービスの利用料金の選択肢が表示される。領域５１６ｂは、領域５１６ｃに示した比率で特定画像を付加したときのＡ４原稿１枚当たりの利用料金（利用単価）を示し、領域５１６ａは、選択肢の番号を表わしている。
例えば、特定画像を１枚の原稿当たり２個まで付加してもよいときには、利用単価は５０円となる。
【００２０】
選択肢３の利用単価５０円、特定画像の個数の比率２で当該サービスを利用するときには、領域５１６ａの選択肢３の領域を押圧し、さらに領域５１７を押圧することによって図３に例示した画面が表示される。
また、選択が間違っているときには領域５１８を押圧すると、選択が無効となるので再度選択をやり直す。また、保存条件を選択し直したいときには領域５１９を押圧することによって、図１の保存条件選択画面に戻ることができる。
【００２１】
図３の画面は、選択した保存条件と利用単価の確認と、原稿読取開始を促進するためのものであり、利用者は読取台または原稿自動読取装置に原稿をセットし、読み取り条件を設定して、スタートキーを押すと原稿が読み取られて、図４に例示した利用料金払い込みの画面が表示される。
【００２２】
図４では、読み取った原稿の枚数を示す領域５２０と当該サービスの利用料金を示す領域５２１が表示され、この料金の払い込みの指示とＵＳＢメモリを所定の接続部に挿し込むことを指示している。
【００２３】
利用者が指示された料金を、例えば、電子マネーで払い込んでＵＳＢメモリを挿し込むと、読み取った原稿画像データに伴わせて出力する特定画像データおよびこれらの画像データの表示時間と表示順序と利用者によって選択された印刷の可否がＵＳＢメモリに書き込まれる。
【００２４】
ここで、上記特定画像は、利用者が別途指定した年齢・性別や興味分野などの情報や、特定画像の提供側の提示した情報に基づいて、保持している特定画像の中から選択される。
また、表示時間は、特定画像の内容が読み取れる程度の時間でよいが、特定画像の提供側の提示した情報（優先度、宣伝費用、宣伝文字数、画像解像度等）に基づいて算出された表示時間であってもよい。
また、原稿画像と特定画像の表示順序も、最初に特定画像を切り替えながら表示し、その後に原稿画像を表示するようにして、特定画像を利用者に必ず見させるようにしてもよい。
【００２５】
次に、上記のようにして作成されＵＳＢメモリに記憶されたデータの表示方法について説明する。
第一の表示方法は、図５に示すように、上記のＵＳＢメモリに書き込まれた原稿画像および特定画像（ここでは、広告画像とした。）をそれぞれ一画面に表示する。
まず、利用者の読み込んだ原稿画像が画面５２２のように一定時間表示された後、特定画像が画面５２３のように一定時間表示された後、さらに、もう一つの特定画像が画面５２４のように一定時間表示された後、さらに、原稿画像が画面５２２のように表示される。ここで、原稿画像の表示時間は、特定画像の表示時間より長く設定され、特定画像の表示時間は広告情報が読み取れる程度の時間に設定される。
また、最初に、特定画像が画面５２３のように一定時間表示されたのちに、もう一つの特定画像が画面５２４のように一定時間表示されたあとに、原稿画像が画面５２２のように表示されてもよい。このような表示順とすることにより、特定画像を利用者に必ず見せることができる。
【００２６】
第二の表示方法は、図６に示すように、原稿画像を表示する広い原稿画像表示領域と、特定画像を表示する狭い特定画像表示領域に一つの画面を分ける。
原稿画像５３２は、原稿画像表示領域５３１に常に表示され、特定画像５３４は、特定画像表示領域５３３に表示される。特定画像５３４ａを一定時間表示した後、特定画像５３４ｂを一定時間表示した後、特定画像５３４ａを表示する。以降、特定画像を切り替えて繰り返す。
これにより、利用者の原稿画像の表示領域が常に固定され、特定画像表示領域のみ切り替わるので、利用者の原稿画像を継続的に閲覧することができる。
【００２７】
以下、本実施形態の画像表示システムについて説明する。
本実施形態の画像表示システムは、画像読取装置と表示装置とからなっている。
画像読取装置では、保存条件を入力し、読み取った原稿画像を保存条件に合わせて変換し、この変換した原稿画像に利用料金に応じた特定画像と、この特定画像の個々の表示時間と表示順序を伴わせてたデータを出力する。
また、表示装置は、画像読取装置で出力された原稿画像と特定画像を個々の表示時間と表示順序に基づいて表示する。
【００２８】
画像読取装置と表示装置とのデータの送受信は、次のいずれであってもよい。
（１）画像読取装置にＵＳＢメモリ等の外部記憶装置を接続し、上記のデータを格納し、表示装置にこの外部記憶装置を接続して読み取る。
この接続形態は、有線接続や近距離無線通信のいずれでも構わない。
尚、以下の実施形態では、外部記憶装置を介して上記データを送受信する場合について説明する。
【００２９】
（２）画像読取装置と表示装置をインターネットや公衆回線等によるネットワークで接続し、このネットワークを介して画像読取装置で入力された表示装置のアドレスに上記のデータを送受信する。
【００３０】
次に、本実施形態の画像読取装置の詳細な構成について説明する。
本実施形態では、画像読取装置を用いて説明するが、画像処理装置全般に適用され、例えば、スキャナ機能を実行するソフトウェアや、コピー機能、ファクシミリ（ＦＡＸ）機能、プリント機能、スキャナ機能及び入力画像を配信する機能等を複合した所謂ＭＦＰ（Ｍｕｌｔｉ Ｆｕｎｃｔｉｏｎ Ｐｅｒｉｐｈｅｒａｌ）等にも適用できる。
【００３１】
図７は、本実施形態の画像読取装置の機能構成を示すブロック図であり、同図において、画像読取装置１００は、制御部１０１、特定画像記憶部１０２、料金データ記憶部１０３、データ記憶部１０４、保存条件取得部１０５、画像読取部１０６、画像合成部１０７、出力部１０８、特定画像取得部１０９を含んで構成されている。
【００３２】
制御部１０１は、当該画像読取装置１００全体の制御を行うものであり、本実施形態の画像読取サービス機能を動作させたり、定期的に特定画像取得部１０９を動作させて特定画像に関する情報を取得する。
【００３３】
特定画像取得部１０９は、特定画像の提供可能期間が経過した場合や一定時間間隔などで、外部通信網を介して特定画像情報が保存されているサーバに自動接続して、所定のデータ項目（下記参照）についてのデータを収集して、特定画像記憶部１０２を更新する。
【００３４】
特定画像記憶部１０２は、特定画像ごとに次のようなデータ項目を記憶する。
識別子：特定画像記憶部１０２内の特定画像を識別するための唯一子である。
特定画像データ：利用者が閲覧することによって、利用者および提供側が利益を生じる可能性のある画像データであり、例えば、広告画像や広告映像である。
利用者の属性から選択するための情報：利用者が当該特定画像の内容に興味を抱く年齢層、性別、および、当該特定画像の内容が示す分類等である。
提供側の提供した情報：提供側が当該特定画像を利用者に提供したい度合いを示す情報であり、優先度や当該特定画像の制作費用や広告宣伝費、当該特定画像に存在する文字数、当該特定画像の解像度等である。
提供可能期間：当該特定画像を利用者に提供できる期間であり、提供期間が過ぎると当該特定画像に対するデータは削除される。
【００３５】
保存条件取得部１０５は、利用者が画像読取装置１００の操作画面を使って画像読取サービス機能を選択すると制御部１０１によって起動され、次のような機能を実行する。
【００３６】
（１）原稿画像の保存条件の取得：
保存条件取得部１０５が起動されると、図１に示したような保存条件を選択する画面を表示して、利用者の選択動作に対する処理が行われ、この画面で利用者が選択した保存解像度および印刷の可否を取得する。
【００３７】
（２）利用料金の取得：
次に、図１の画面で確定領域５１３が押されたことを検知すると、図１で選択した保存条件を含めて、図２に示した利用料金の選択画面を表示する。
ここで、各選択肢の利用単価および特定画像数の比率は、次のようにして求める。
【００３８】
まず、料金データ記憶部１０３には、次のデータ項目を各データ項目の値の組み合わせで記憶しておく。
保存解像度：原稿画像を保存するときの解像度であり、例えば、６００，３００，２００ｄｐｉのいずれかが格納される。
印刷の可否：印刷可または印刷不可のいずれかが格納される。
利用単価：特定画像を付加しないときの原稿１枚当たりの利用単価である。
無料となる特定画像数：特定画像を原稿画像に付加したときに無料となる特定画像の個数である。
上記の利用単価と無料となる特定画像数とは、保存解像度と印刷の可否の組み合わせに対応して記憶される。
【００３９】
次に、料金データ記憶部１０３を参照して、図１の画面によって利用者から指定された保存解像度と印刷の可否に対応する利用単価（Ａ円とする）と無料となる特定画像数（Ｎ個とする）を取得する。
次に、付加する特定画像の個数０の利用単価をＡ円、個数Ｎのときの利用単価を無料とし、この間のＫ個の特定画像を付加したときの利用単価は所定の関数またはテーブルによって算出する。
例えば、上記テーブルは、特定画像を提供する広告主が１つの特定画像当たりに提供する提供単価をＢ円とし、付加する特定画像の個数が増えたときには利用者を独占的に観覧できないため、付加する特定画像の個数に応じて広告主の提供単価を割り引くようにすることにより、利用料金は次の式で求めることができる。
利用単価＝Ａ−Ｂ×（特定画像の個数Ｋに応じた提供単価の割引率）×Ｋ
ここで算出される特定画像の個数は、原稿１枚当たりの個数であるから、以下では「特定画像数の比率」とよぶことにする。
【００４０】
最後に、特定画像数の０個からＮ個までの利用単価と特定画像数の比率の対を、図２のような画面に表示し、利用者の選択動作に対する処理が行われ、この画面で利用者が選択した選択肢（利用単価と特定画像数の比率）を取得する。
【００４１】
（３）原稿読み取り促進：
次に、図２の画面で確定領域５１７が押されたことを検知すると、図１および図２で選択した保存条件および利用単価を含め、原稿読取開始を促進するための図３のような画面を表示する。
利用者は、図３の表示内容を読み、読取台または原稿自動読取装置に原稿をセットし、読み取り条件（縮小拡大、原稿の種類等）を設定して、スタートキーを押す。
保存条件取得部１０５は、スタートキーが押されたことを検知して、画像読取部１０６によって読み取った原稿画像データをデータ記憶部１０４に記憶し、図４に示すような料金払い込み指示の画面を表示する。
【００４２】
（４）払い込み促進：
最後に、利用者は、図４に表示された読み取った原稿の枚数と画像読取サービスの利用料金を確認して、指示された利用料金を、例えば、電子マネーで払い込んでＵＳＢメモリを所定の位置に挿し込む。
保存条件取得部１０５は、料金の払い込みとＵＳＢメモリの挿し込みを確認すると、原稿画像データの格納場所、印刷の可否、付加する特定画像の個数をデータ記憶部１０４に記憶するとともに、読み取った原稿画像と特定画像の合成を行うように制御部１０１に制御を戻す。
【００４３】
画像読取部１０６は、保存条件取得部１０５から起動され、原稿台あるいは原稿自動読取装置へ載置された原稿を読み取って電子データに変換し、利用者の指定した保存解像度に変換し、データ記憶部１０４に記憶し、読み取った原稿の枚数と原稿画像データを記憶した格納場所とを保存条件取得部１０５に戻す。
【００４４】
画像合成部１０７は、保存条件取得部１０５の終了が制御部１０１により検出されると、制御部１０１から起動され、以下のような機能を実行する。
（１）付加する特定画像の選択：
特定画像記憶部１０２に記憶されている特定画像の提供側の提供した情報に基づいて、読み取った原稿画像に付加する特定画像を特定画像の個数分選択し、選択した特定画像の識別子を選択順にデータ記憶部１０４に記憶する。
この選択順は、例えば、優先度の高い順、制作費用や広告宣伝費の高額の順、当該特定画像に存在する文字数や当該特定画像の解像度などの大きい順である。
【００４５】
また、保存条件取得部１０５で利用者の年齢・性別や興味分野などの情報が別途取得されている場合には、特定画像記憶部１０２に記憶された特定画像の利用者の属性から選択するための情報に基づいて、読み取った原稿画像に付加する特定画像を特定画像の個数分選択するようにしてもよい。また、利用者の属性および提供側の提供した情報の両方の情報に基づいて選択するようにしても構わない。
【００４６】
（２）表示時間の決定：
読み取った原稿画像データおよび選択した特定画像データの個々のデータの表示時間を決定する。原稿画像および特定画像の表示時間は、それぞれ所定の時間とするが、原稿画像の表示時間を長くし、特定画像の表示時間をその内容が読み取れる程度の時間とする。また、特定画像の表示時間は、特定画像の提供側の提供した情報に応じた表示時間としてもよい。
【００４７】
（３）画像データの合成：
データ形式は、ヘッダ部分とデータ部分からなっている。
ヘッダ部分は、原稿画像の個数、特定画像の個数、印刷の可否、データ部分に記録される画像データの順序に対応する表示時間が記録される。
データ部分は、原稿画像データをヘッダ部分に記録した原稿画像の個数分記録し、その後に、特定画像データをヘッダ部分に記録した特定画像の個数分記録する。
本発明で言う画像データを表示する順番とは、データ部に記録する画像データの並びの順序のことを示す。
【００４８】
まず、原稿画像データを読み取った順番に記録し、その後に、特定画像データを特定画像記憶部１０２に記憶されている表示優先度の高い順番に記録して、上記のデータ部を構成する。
次に、読み取った原稿の枚数と、選択された特定画像の個数と、利用者から指定された印刷の可否と、データ部に記録した画像データの順番に対応させた個々の表示時間とでヘッダ部を構成する。
画像合成部１０７は、ここで構成したヘッダ部とデータ部とを一まとまりの合成データとしてデータ記憶部１０４に記憶し、合成したデータを出力するために制御部１０１に制御を戻す。
【００４９】
出力部１０８は、画像合成部１０７の終了が制御部１０１により検出されると、制御部１０１から起動され、画像合成部１０７で合成された合成データをデータ記憶部１０４から読み出して当該画像読取装置１００に接続されたＵＳＢメモリへ出力する。
【００５０】
次に、本実施形態の画像読取装置１００の処理手順を図８に示すフローチャートをもとに説明する。
利用者が画像読取装置１００の操作画面を使って画像読取サービス機能を選択すると、図１に示したような保存条件を選択する画面を表示して、利用者の選択動作に対する処理が行われ、利用者が選択した保存解像度および印刷の可否を取得する（ステップＳ１）。
【００５１】
次に、図２に示した利用料金の選択画面を表示して、利用者の選択動作に対する処理が行われ、利用者が選択した選択肢（利用単価と特定画像数の比率）を取得し、保存条件および利用単価を含めて、図３に示した原稿読取開始を促進するための画面を表示する（ステップＳ２）。
【００５２】
次に、利用者が図３に表示された内容を読み、読取台または原稿自動読取装置に原稿をセットし、読み取り条件（縮小拡大、原稿の種類等）を設定して、スタートキーを押すと、スタートキーが押されたことを検知して、画像読取部１０６によって読み取った原稿画像データを利用者の指定した保存解像度に変換し、データ記憶部１０４に記憶し、図４に示す料金払い込み指示の画面を表示する（ステップＳ３）。
【００５３】
利用者が図４に表示された読み取った原稿の枚数と画像読取サービスの利用料金を確認して、指示された利用料金を払い込んでＵＳＢメモリを所定の位置に挿し込むと、原稿画像データの格納場所、印刷の可否、付加する特定画像の個数をデータ記憶部１０４に記憶する（ステップＳ４）。
【００５４】
次に、特定画像記憶部１０２に記憶された特定画像の提供側の提供した情報に基づいて、読み取った原稿画像に付加する特定画像を選択し、特定画像の識別子を選択順にデータ記憶部１０４に記憶する（ステップＳ５）。
【００５５】
次に、読み取った原稿画像データおよび選択した特定画像データの個々の画像データの表示時間を決定する（ステップＳ６）。
次に、読み取った原稿画像データおよび選択した特定画像データを順番に記録したデータ部を構成し、読み取った原稿の枚数と、選択された特定画像の個数と、利用者から指定された印刷の可否と、データ部に記録した画像データの順番に対応させた個々の表示時間とでヘッダ部を構成し、一まとまりの合成データとしてデータ記憶部１０４に記憶する（ステップＳ７）。
【００５６】
最後に、一まとまりに合成したデータをデータ記憶部１０４から読み出して当該画像読取装置１００に接続されたＵＳＢメモリへ出力し、利用者に指定された画像読取サービス機能の実行終了にともない、当該サービスを実行中に一時的に生成したデータをデータ記憶部１０４上からすべて消去する（ステップＳ８）。
【００５７】
次に、本実施形態の表示装置について説明する。
図９に示したように、表示装置２００は、キーボードやマウス等からなる操作部２０４と、液晶表示装置等からなる表示部２０５を備えるコンピュータ等の情報処理装置で構成され、表示形態取得部２０１、データ分離部２０２、画像表示部２０３の機能を備えている。
【００５８】
表示形態取得部２０１は、表示装置２００において、操作部２０４によって合成データの表示機能を選択することによって実行され、表示部２０５に下記のような表示形態の選択肢を表示し、利用者に選択入力させるものである。
この選択肢には、（１）原稿画像と特定画像を異なる領域に表示するモード、（２）原稿画像と特定画像を順番に表示するモードがある。
【００５９】
データ分離部２０２は、ＵＳＢメモリに記録されている合成データが表示部２０５に表示され、その中から利用者が指定した合成データを読み取って、ヘッダ部およびデータ部の個々のデータを分離し、それぞれメモリ等に記憶させる。
【００６０】
画像表示部２０３は、表示形態取得部２０１で取得した表示モードにより次のように処理する。
（１）原稿画像と特定画像を異なる領域に表示するモードの場合：
原稿画像と特定画像のそれぞれの表示領域を表示部２０５上の画面に設定する。この表示領域は、図６に示すように、原稿画像を表示する表示領域を広く、特定画像を表示する表示領域を狭く設定する。
【００６１】
次に、データ分離部２０２で分離した原稿画像データを記録されていた順番に原稿画像表示領域に表示する。このときの各画像データの表示時間は、データ分離部２０２で分離した原稿画像データに対応する表示時間である。尚、原稿画像については、利用者の指示に基づいて各画像の表示を制御してもよい。
【００６２】
また、データ分離部２０２で分離した特定画像データを記録されていた順番に特定画像表示領域に表示する。このときの各画像データの表示時間は、データ分離部２０２で分離した特定画像データに対応する表示時間である。
原稿画像データや特定画像データをすべて表示した後は、最初に戻って表示を繰り返す。
これにより、利用者の原稿画像の表示領域が常に固定され、特定画像領域の表示のみ切り替わるので、利用者の原稿画像を継続的に閲覧することができる。
【００６３】
（２）原稿画像と特定画像を順番に表示するモードの場合：
まず、データ分離部２０２で分離した特定画像データを記録されていた順番に表示部２０５の画面に表示する。このときの各画像データの表示時間は、データ分離部２０２で分離した特定画像データに対応した表示時間である。
すべての特定画像データの表示が終わった後、データ分離部２０２で分離した原稿画像データを記録されていた順番に表示部２０５の画面に表示する。このときの各画像データの表示時間は、データ分離部２０２で分離した原稿画像データに対応する表示時間である。すべての原稿画像データの表示が終わった後は、特定画像データの表示に戻って繰り返す。
これにより、特定画像を利用者に必ず見させるようにできるので、広告の宣伝効率が向上する。
尚、原稿画像データの表示を先にして、特定画像データの表示を後にしてもよい。
【００６４】
また、合成データから分離した印刷の可否に「印刷可」が記録されていれば、操作部２０４の操作により印刷指示が行えるので、より宣伝効果が得られる。
【００６５】
また、本発明は上述した実施形態に限定されず、本発明の要旨を逸脱しない範囲内で各種の変形、修正が可能であるのは勿論である。
例えば、上記の保存条件取得部１０５において、次のような変形例が考えられる。
【００６６】
＜変形例１＞
利用者に保存解像度のみを指定させ、この保存解像度に対して、利用単価および特定画像の数の比率を対応させた複数の選択肢を表示し、利用者が選択肢から選択した特定画像の数の比率が少ないときには、利用者が読み取った原稿画像の印刷を不可能にし、多いときには、印刷を可能にするように設定してもよい。
例えば、通常２つ程度の広告画像を付加するのであれば、利用者は広告画面が増えるが、印刷できるといった付加価値を得ることができる。
【００６７】
＜変形例２＞
原稿画像の印刷可否のみを指定させ、この印刷の可否に対して、利用単価および特定画像の数の比率を対応させた複数の選択肢を表示し、利用者が選択肢から選択した特定画像の数の比率が多いときには、保存解像度を高くし、少ないときには保存解像度を低くするように設定してもよい。
例えば、通常２つ程度の広告画像を付加するのであれば、２００ｄｐｉ程度の保存解像度で画像を構成するが、３つ以上の広告画像を付加すれば、６００ｄｐｉ程度の保存解像度で画像を構成する。
これにより、より鮮明な画像を利用者が得ることで、より鮮明な広告情報を提供することができる。
【００６８】
＜変形例３＞
利用単価および特定画像の数の比率を対応させた複数の選択肢を表示し、利用者が選択肢から選択した特定画像の比率に応じた個数の特定画像を取得する。
この取得には、特定画像記憶部に記憶された特定画像のうち、提供側が提供する広告費比率や広告画像情報数（画像の解像度や文字情報数など）の大きさによって取得の可否を設定してもよい。
【００６９】
また、上記の実施形態において、料金体系を白黒とカラーの違いや、原稿サイズの違いなどの画像の特性に応じて異なるものとしてもよい。
【００７０】
＜他の変形例＞
尚、上記の実施形態および変形例では、画像の読み取りを画像読取装置で原稿読み取っていたが、これに限定されるものではなく、次のような画像データであっても構わない。
（１）デジカメ等のメモリを画像処理装置に接続してメモリ中の１画像データを表示用のファイルに生成した画像データ、
（２）ネットワークに接続された画像処理装置でＷＥＢ上のコンテンツの画像データをダウンロードして生成した画像データ等
【００７１】
また、上記の実施形態および変形例では、読み取った画像データに、複数の特定画像データの表示時間と表示順序とから構成される表示情報を付加して同じ記録媒体に記憶するようにしていたが、次のようにしても構わない。
【００７２】
（１）読み取った画像データと前記表示情報を合成せずに別々のデータファイルとして同一の記録媒体に記憶してもよい。
（２）上記表示情報は、複数の特定画像データを出力するファイルと、個々の特定画像データの表示時間および表示順序を出力するファイルを、同じファイルとしてもよいし、別々のファイルとしてもよい。このとき、特定画像データを記憶したファイルの存在位置と、この特定画像データの表示時間および表示順序とを関連付けておく。
（３）さらに、特定画像データをファイルとして記録媒体に記憶させなくともよく、この場合、特定画像データが存在する所在位置（例えば、ネットワークや他の記録媒体のＵＲＩ（Uniform Resource Identifier）と表示時間と表示順とを関連付けておく。
（４）さらに、上記のファイルは、同一の記録媒体ではなく別々の記録媒体に記録してもよい。
【００７３】
また、上述した実施形態を構成する画像読取装置や表示装置の各処理部（例えば、制御部、保存条件取得部、画像読取部、画像合成部、出力部、特定画像取得部、表示形態取得部、合成データ分離部、画像表示部等）として、コンピュータを機能させるプログラムを作成し、予め記録媒体に書き込んでおき、この記録媒体に記録されたこれらのプログラムを当該装置に備えられたメモリあるいは記憶装置に格納し、そのプログラムをコンピュータのＣＰＵ（Central Processing Unit）やＭＰＵ（Microprocessing Unit）で実行することによって、本発明の目的が達成されることは言うまでもない。
【００７４】
この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【００７５】
尚、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークや放送波を介して記憶装置に格納された上記プログラムをサーバコンピュータから直接供給を受けるようにしてもよい。この場合、このサーバコンピュータの記憶装置も本発明の記録媒体に含まれる。
【符号の説明】
【００７６】
１００…画像読取装置、１０１…制御部、１０２…特定画像記憶部、１０３…料金データ記憶部、１０４…データ記憶部、１０５…保存条件取得部、１０６…画像読取部、１０７…画像合成部、１０８…出力部、１０９…特定画像取得部、２００…表示装置、２０１…表示形態取得部、２０２…データ分離部、２０３…画像表示部、２０４…表示領域設定部、５１１ａ，５１１ｂ，５１１ｃ…保存解像度選択領域、５１２ａ，５１２ｂ…印刷の可否選択領域、５１３…確定領域、５１４…クリア領域、５１５…保存条件表示領域、５１６ａ…選択肢表示領域、５１６ｂ…利用単価表示領域、５１６ｃ…特定画像数の比率表示領域、５１７…確定領域、５１８…クリア領域、５１９…戻る領域、５２０…読取原稿枚数表示領域、５２１…利用料金表示領域、５２２…原稿画像表示画面、５２３…第１の特定画像表示画面、５２４…第２の特定画像表示画面、５３１…原稿画像表示領域、５３２…原稿画像、５３３…特定画像表示領域、５３４，５３４ａ，５３４ｂ…特定画像。
【図１】
2011082761.tif 000003
【図２】
2011082761.tif 000004
【図３】
2011082761.tif 000005
【図４】
2011082761.tif 000006
【図５】
2011082761.tif 000007
【図６】
2011082761.tif 000008
【図７】
2011082761.tif 000009
【図８】
2011082761.tif 000010
【図９】
2011082761.tif 000011